(57)【要約】【課題】除湿消臭有害物質除去の機能と仕上がりのよい感触とをそなえ、仕上貼り紙に白が使え、湿気によって膨張することがなく、反りやねじれの発生しない、ふすま等の建具を提供することを目的とする。【解決手段】芯材１の表裏両面に紙等を貼って作られるふすま等の建具において、建具の枠体を構成する芯材１と、芯材１の上に貼る紙またはベニア等の下地材２と、下地材２の上に塗布する塗料３と、塗料３の上に貼る袋貼り紙４と、袋貼り紙４の上に貼る仕上貼り紙５とを有しており、前記した塗料３がアクリル樹脂エマルジョンをバインダーとして少なくとも二酸化チタンと多孔質粗材と陶微粉が混入されており、前記した多孔質粗材が、木炭、竹炭、サンゴ、火山灰のいずれか一種類または複数の種類が材料として用いられており、前記した少なくとも袋貼り紙４と仕上貼り紙５が通気性を有していることを特徴とする。【選択図】図２
0003106987.tif 000002
【実用新案登録請求の範囲】
【請求項１】
芯材（１）の表裏両面に紙等を貼って作られるふすま等の建具において、建具の枠体を構成する芯材（１）と、芯材（１）の上に貼る紙またはベニア等の下地材（２）と、下地材（２）の上に塗布する塗料（３）と、塗料（３）の上に貼る袋貼り紙（４）と、袋貼り紙（４）の上に貼る仕上貼り紙（５）とを有しており、前記した塗料（３）がアクリル樹脂エマルジョンをバインダーとして少なくとも二酸化チタンと多孔質粗材と陶微粉が混入されており、前記した多孔質粗材は、木炭、竹炭、サンゴ、火山灰のいずれか一種類または複数の種類が材料として用いられており、前記した少なくとも袋貼り紙（４）と仕上貼り紙（５）が通気性を有していることを特徴とする除湿消臭有害物質除去機能を有したふすま等の建具。
【考案の詳細な説明】
【技術分野】
【０００１】
本考案は、部屋や押入れなどの湿気や臭いや有害物質を吸着除去することのできる除湿消臭有害物質除去機能を有したふすま等の建具に関するものである。
【背景技術】
【０００２】
通常のふすま等の建具は除湿消臭有害物質除去機能を有していない。一番内側に格子と枠からなる木製の芯材があり、芯材の表裏両面にそれぞれ、下地材、袋貼り紙、仕上げ貼り紙、等を貼った構造をしている。有害物質には建材や接着剤や家具等から発生する有害揮発性物質であるホルムアルデヒド、アセトアルデヒド、アンモニア、キシレン、硫化水素、等がある。通常のふすま等の建具では、表面側である室内の湿気や臭いや有害物質を除去できないし、裏面側である押入れにこもる湿気や臭いや有害物質を除去することができない。特に押入れなどの収納部分には高濃度の湿気や臭いや有害物質がこもった状態となっている。湿気は部屋のカビ発生の原因となり、押入れでは布団が湿ったままの状態となる。押入れ内の湿度は布団の寝汗などによって非常に高くなっている。押入れの湿気は夏場が一番高い。建具の芯材は湿気の影響を受けやすい木材である。押入れの湿気によりふすま等の建具が反ったりねじれたりしてしまうことがある。そこで、従来、除湿消臭有害物質除去機能を有したふすま等の建具としては、特開２００１−１０７６５１号公報（防臭調湿機能を有する可動性襖）がある。これは、炭材等を袋や箱やシート状に加工した上でふすまの芯材の格子で形成される空間内に入れたものである。通常のふすまづくり作業以外に、炭材の入った容器を取り付ける作業が加わる。このふすまにはいくつか問題点がある。１つは、除湿消臭有害物質除去できる面積が、襖一面ではなく、炭材の入った容器の入っている格子一枡の狭い面積であり、効率的に効果が発揮できないことである。１つは、格子一枡に除湿消臭有害物質除去機能があり、押入れ内の湿気に対して吸湿効果が一箇所に集中しているので、芯材の一箇所の格子だけが乾燥し他の箇所には湿気が残った状態となるため、ふすま等の建具に著しい反りやねじれの生じることである。１つは、下地材に用いることができるのは通気性のある下貼り紙に限定されてしまい、丈夫であっても通気性のないベニア等は用いることができないため、材料を選択できる幅が狭くなる。
【０００３】
そこで前記公報とは別の建具として、下地材の上に炭材を糊付けした品物が商品化されている。この建具にも問題があった。１つは、炭剤の形状は粗材なので仕上貼り紙の上から手で触れた感触がざらざらで仕上がりがよくないこと。１つは、炭材の色は黒なので貼り紙を貼った上から黒が透けて見えてしまい白い仕上貼り紙等が使えないこと。１つは、実際に使ってみると炭材が吸湿するだけでなく糊も湿気を吸って膨らんでしまうこと。糊が湿気を吸って膨張した場合、建具として使えないばかりでなく、炭材の除湿消臭有害物質除去する効果も失われる。そのため湿気で建具が反ったりねじれたりする。
【特許文献１】特開２００１−１０７６５１号公報
【考案の開示】
【考案が解決しようとする課題】
【０００４】
本考案の課題は、除湿消臭有害物質除去機能を有したふすま等の建具において、ふすまの全面に除湿消臭有害物質除去機能を付与して効果を最大限に発揮させ、ふすま等の建具が湿気により反ったりねじれたりすることがなく、下地材にベニア等の通気性のない素材であっても使用することができ、仕上がりの感触にざらざら感がなく、白い仕上貼り紙を使用しても黒色等が透けて見えることがなく、湿気で糊が膨張することのない、ふすま等の建具を提供することを目的とする。
【課題を解決するための手段】
【０００５】
本考案は、芯材の表裏両面に紙等を貼って作られるふすま等の建具において、建具の枠体を構成する芯材と、芯材の上に貼る紙またはベニア等の下地材と、下地材の上に塗布する塗料と、塗料の上に貼る袋貼り紙と、袋貼り紙の上に貼る仕上貼り紙とを有しており、前記した塗料がアクリル樹脂エマルジョンをバインダーとして少なくとも二酸化チタンと多孔質粗材と陶微粉が混入されており、前記した多孔質粗材が、木炭、竹炭、サンゴ、火山灰のいずれか一種類または複数の種類が材料として用いられており、前記した少なくとも袋貼り紙と仕上貼り紙が通気性を有していることを特徴とする除湿消臭有害物質除去機能を有したふすま等の建に関するものである。
【考案の効果】
【０００６】
本考案の除湿消臭有害物質除去機能を有したふすま等の建具によれば次のような効果を得ることができる。まず、最大の特徴は、ふすま等の建具の内部に塗料を用いていることであり、その塗料が除湿消臭有害物質除去機能を有しており、塗料に含まれる除湿消臭有害物質除去機能を有した多孔質粗材として、木炭、竹炭、サンゴ、火山灰のいずれか一種類または複数の種類を用いることにより、除湿消臭有害物質除去機能を有したふすま等の建具を実現することができる。また、ふすまの全面に除湿消臭有害物質除去機能を付与して効果を最大限に発揮させることができる。また、建具の全面で均一に除湿がおこなわれるので反ったりねじれたりすることがない。また、下地材には通気性があってもなくてもどちらでもよいので、下貼り紙として下貼り紙でもベニアでもどんな素材でも使用することができる。また、塗料のざらざらしている多孔質粗材にさらさらの陶微粉を混入させることにより、仕上貼り紙の上からの感触が滑らかな建具となる。また、塗料の多孔質粗材に二酸化チタンが混入されているため、多孔質粗材の色が炭の黒であったり灰の茶であっても二酸化チタンの白色で完全にカバーされてしまうので、仕上貼り紙に白色等を使用しても黒色等が透けて見えることがない。また、塗料のバインダーにアクリル系エマルジョンを使用しているので、湿気で形状が変化したり膨張や収縮を起こすことがない。
【考案を実施するための最良の形態】
【０００７】
本考案の除湿消臭有害物質除去機能を有したふすま等の建具を実施するための最良の形態について説明するが、この実施の形態にのみ限定されるべきものではないことはいうまでもない（図１〜図３参照。）。図１の建具はふすまである。図中１は、建具の枠と格子からなる枠体を構成していする木製の芯材である。芯材１の表裏両面にはそれぞれ内側から、下地材２が貼られ、塗料３が塗られ、袋貼り紙４が貼られ、最後に仕上貼り紙５が貼られている（図２参照。）。下地材２は紙またはベニア等である。下地材２の上に塗布する塗料３は、アクリル樹脂エマルジョンをバインダーとして少なくとも二酸化チタンと多孔質粗材と陶微粉が混入されている。図３は、塗料３を拡大したイメージをあらわした説明図であり、実際の映像ではない。多孔質粗材は、木炭、竹炭、サンゴ、火山灰のいずれか一種類または複数の種類が材料として用いられる。いずれの多孔質粗剤も除湿消臭有害物質除去機能を有している。また、それらの材料をセラミック加工して焼成物としたものを用いてもよい。木炭や竹炭は黒色、火山灰は茶色であるが、白色の顔料である二酸化チタンが混入されたことにより塗料３の他の原料の色をすべて白色にカバーしてしまう。陶微粉は瀬戸を微粉末にしたものであり、塗料３の表面を滑らかにする。バインダーのアクリル系エマルジョンは、湿気による形状変化も体積変化も起こさない。二酸化チタンと多孔質粗剤と陶微粉が顔料、アクリル系エマルジョンが展色剤、塗料３には実際にはこの他に、防腐防カビ剤、増粘剤、消泡剤等の補助剤を混入させて使用する。前記した少なくとも袋貼り紙４と仕上貼り紙５は通気性を有している。下地材２は通気性があってもなくてもどちらでも構わない。
【図面の簡単な説明】
【０００８】
【図１】本考案の建具（ふすま）の説明図である。
【図２】本考案の建具（ふすま）を部分的に拡大した横断面図である。
【図３】本考案の建具（ふすま）に用いられる塗料を拡大した説明図である。
【符号の説明】
【０００９】
１    芯材
２    下地材
３    塗料
４    袋貼り紙
５    仕上貼り紙
【図１】
0003106987.tif 000003
【図２】
0003106987.tif 000004
【図３】
0003106987.tif 000005
【手続補正書】
【提出日】平成16年8月9日(2004.8.9)
【手続補正１】
【補正対象書類名】明細書
【補正対象項目名】０００５
【補正方法】変更
【補正の内容】
【０００５】
本考案は、芯材の表裏両面に紙等を貼って作られるふすま等の建具において、建具の枠体を構成する芯材と、芯材の上に貼る紙またはベニア等の下地材と、下地材の上に塗布する塗料と、塗料の上に貼る袋貼り紙と、袋貼り紙の上に貼る仕上貼り紙とを有しており、前記した塗料がアクリル樹脂エマルジョンをバインダーとして少なくとも二酸化チタンと多孔質粗材と陶微粉が混入されており、前記した多孔質粗材が、木炭、竹炭、サンゴ、火山灰のいずれか一種類または複数の種類が材料として用いられており、前記した少なくとも袋貼り紙と仕上貼り紙が通気性を有していることを特徴とする除湿消臭有害物質除去機能を有したふすま等の建具に関するものである。